(57)【要約】【課題】  多用途拡充ベースの提供。【解決手段】  多用途拡充ベースは、ベース本体、大容量保存装置インタフェース、少なくとも一つのＵＳＢコネクタ、及び複数の接続端子（ＰＳ／２、ＬＰＴ）を具え、ＵＳＢコネクタはベース本体に設置されてノートブック型コンピュータ或いはデスクトップ型コンピュータとの接続に供され、大容量保存装置インタフェースはベース本体に設置されて大容量保存装置と接続してベース本体と大容量保存装置を一体に結合させるのに供され、且つ大容量保存装置はＵＳＢコネクタを介してコンピュータ装置に接続され、複数の接続端子はベース本体に設置され、複数の周辺装置を接続して複数の周辺装置がいずれもＵＳＢコネクタを介してコンピュータ装置に接続するのに供される。【選択図】        図２
2006114000.tif 000002
【特許請求の範囲】
【請求項１】
ベース本体、少なくとも一つのＵＳＢコネクタ、大容量保存装置インタフェース、及び複数の接続端子を具え、ＵＳＢコネクタはベース本体に設置されてコンピュータ装置との接続に供され、大容量保存装置インタフェースはベース本体に設置されて大容量保存装置と接続してベース本体と大容量保存装置を一体に結合させるのに供され、且つ大容量保存装置はＵＳＢコネクタを介してコンピュータ装置に接続され、複数の接続端子はベース本体に設置され、複数の周辺装置を接続して複数の周辺装置をＵＳＢコネクタを介してコンピュータ装置に接続するのに供されることを特徴とする、多用途拡充ベース。
【請求項２】
請求項１記載の多用途拡充ベースにおいて、接続端子がＰＳ／２端子、ＬＰＴ端子及びＵＳＢインタフェースの少なくとも一種類とされたことを特徴とする、多用途拡充ベース。
【請求項３】
請求項１記載の多用途拡充ベースにおいて、大容量保存装置インタフェースがＩＤＥインタフェースとされたことを特徴とする、多用途拡充ベース。
【請求項４】
請求項１記載の多用途拡充ベースにおいて、大容量保存装置がノートブック型コンピュータ専用の薄型ＣＤドライブとされたことを特徴とする、多用途拡充ベース。
【請求項５】
請求項１記載の多用途拡充ベースにおいて、大容量保存装置がノートブック型コンピュータ専用の２．５インチディスクドライブとされたことを特徴とする、多用途拡充ベース。
【請求項６】
請求項１記載の多用途拡充ベースにおいて、ベース本体は、左半部と右半部を具え、左半部、右半部は枢軸で接続され、これによりベース本体が折り曲げ可能とされて大容量保存装置との結合に便利とされたことを特徴とする、多用途拡充ベース。
【請求項７】
請求項１記載の多用途拡充ベースにおいて、コンピュータ装置がノートブック型コンピュータとされたことを特徴とする、多用途拡充ベース。
【請求項８】
請求項１記載の多用途拡充ベースにおいて、コンピュータ装置がデスクトップ型コンピュータとされたことを特徴とする、多用途拡充ベース。
【発明の詳細な説明】
【技術分野】
【０００１】
本発明は一種の外接式拡充ベースに係り、特にノートブック型コンピュータ或いはデスクトップ型コンピュータに使用可能な多用途拡充ベースに関する。
【背景技術】
【０００２】
現在市販されているノートブック型コンピュータは、図１に示されるように、拡充ベース１とノートブック型コンピュータ２がそれぞれ専属で且つ同じ種類の接続インタフェース３を具備していなければ接続できず、一般に、拡充ベース１は同じメーカー製で対応する型番のノートブック型コンピュータとしか接続できず、他のメーカー製或いは対応しない型番のノートブック型コンピュータとは接続できない。
【０００３】
また、ノートブック型コンピュータの拡充ベースはノートブック型コンピュータと分離した後には完全に作用を失い、その他のデスクトップ型コンピュータと接続することはできず、このためコンピュータ拡充ベースの使用上の制限が形成される。
【０００４】
また、一般にノートブック型コンピュータ内にビルトインされたＣＤドライブは、ノートブック型コンピュータ内に嵌め込まれた大容量保存装置インタフェースでコンピュータと接続される必要があり、新しいＣＤドライブに交換したい時、或いはハードディスクに取り替えたい時、古いＣＤドライブを取り出さねばならないが、古いＣＤドライブは一般のデスクトップ型コンピュータに接続できず、またその他のコンピュータと接続できる拡充シートもないため、ハードウエア資源の浪費を形成する。
【発明の開示】
【発明が解決しようとする課題】
【０００５】
本発明の主要な目的は、一種の多用途拡充ベースを提供することにあり、それは、コンピュータ装置を該拡充ベースを通して複数の周辺装置と接続できるようにするものとする。
【０００６】
本発明の別の目的は、一種の多用途拡充ベースを提供することにあり、それは、大容量保存装置インタフェースにより大容量保存装置をＵＳＢコネクタを通してコンピュータ装置と接続できるようにするものとする。
【０００７】
以上の目的を達成するため、本発明の多用途拡充ベースは、ベース本体、大容量保存装置インタフェース、少なくとも一つのＵＳＢコネクタ、及び複数の接続端子（ＰＳ／２、ＬＰＴ）を具え、ＵＳＢコネクタはベース本体に設置されてノートブック型コンピュータ或いはデスクトップ型コンピュータとの接続に供され、大容量保存装置インタフェースはベース本体に設置されて大容量保存装置と接続してベース本体と大容量保存装置を一体に結合させるのに供され、且つ大容量保存装置はＵＳＢコネクタを介してコンピュータ装置に接続され、複数の接続端子はベース本体に設置され、複数の周辺装置を接続して複数の周辺装置をＵＳＢコネクタを介してコンピュータ装置に接続するのに供される。
【０００８】
そのうち、上述の多用途拡充ベースは左半部と右半部を具え、左半部と右半部は枢軸で接続され、これによりベース本体が折り曲げ可能とされて大容量保存装置との結合に便利とされる。
【課題を解決するための手段】
【０００９】
請求項１の発明は、ベース本体、少なくとも一つのＵＳＢコネクタ、大容量保存装置インタフェース、及び複数の接続端子を具え、ＵＳＢコネクタはベース本体に設置されてコンピュータ装置との接続に供され、大容量保存装置インタフェースはベース本体に設置されて大容量保存装置と接続してベース本体と大容量保存装置を一体に結合させるのに供され、且つ大容量保存装置はＵＳＢコネクタを介してコンピュータ装置に接続され、複数の接続端子はベース本体に設置され、複数の周辺装置を接続して複数の周辺装置をＵＳＢコネクタを介してコンピュータ装置に接続するのに供されることを特徴とする、多用途拡充ベースとしている。
請求項２の発明は、請求項１記載の多用途拡充ベースにおいて、接続端子がＰＳ／２端子、ＬＰＴ端子及びＵＳＢインタフェースの少なくとも一種類とされたことを特徴とする、多用途拡充ベースとしている。
請求項３の発明は、請求項１記載の多用途拡充ベースにおいて、大容量保存装置インタフェースがＩＤＥインタフェースとされたことを特徴とする、多用途拡充ベースとしている。
請求項４の発明は、請求項１記載の多用途拡充ベースにおいて、大容量保存装置がノートブック型コンピュータ専用の薄型ＣＤドライブとされたことを特徴とする、多用途拡充ベースとしている。
請求項５の発明は、請求項１記載の多用途拡充ベースにおいて、大容量保存装置がノートブック型コンピュータ専用の２．５インチディスクドライブとされたことを特徴とする、多用途拡充ベースとしている。
請求項６の発明は、請求項１記載の多用途拡充ベースにおいて、ベース本体は、左半部と右半部を具え、左半部、右半部は枢軸で接続され、これによりベース本体が折り曲げ可能とされて大容量保存装置との結合に便利とされたことを特徴とする、多用途拡充ベースとしている。
請求項７の発明は、請求項１記載の多用途拡充ベースにおいて、コンピュータ装置がノートブック型コンピュータとされたことを特徴とする、多用途拡充ベースとしている。
請求項８の発明は、請求項１記載の多用途拡充ベースにおいて、コンピュータ装置がデスクトップ型コンピュータとされたことを特徴とする、多用途拡充ベースとしている。
【発明の効果】
【００１０】
本発明の多用途拡充ベースは、コンピュータ装置を該拡充ベースを通して複数の周辺装置と接続できるようにするとともに、大容量保存装置インタフェースにより大容量保存装置をＵＳＢコネクタを通してコンピュータ装置と接続できるようにする。
【発明を実施するための最良の形態】
【００１１】
図２に示されるように、本発明の多用途拡充ベースは、ベース本体１０、少なくとも一つのＵＳＢコネクタ２０、複数の接続端子３０１、３０２、３０３（ＰＳ／２端子、ＬＰＴ端子、ＵＳＢ）、及び大容量保存装置インタフェース４０で構成され、そのうち、前述のベース本体１０は左半部１２と右半部１３を具え、左半部１２と右半部１３の間は枢軸１１で接続され、これによりベース本体１０がＬ形に折り曲げ可能とされ、ベース本体１０の内側に大容量保存装置インタフェース４０が設置され、大容量保存装置５０（ノートブック型コンピュータ、デスクトップ型コンピュータ）との結合に便利とされている。複数の接続端子３０１、３０２、３０３はベース本体１０に設置されて周辺装置との接続に供される。
【００１２】
前述のＵＳＢコネクタ２０はベース本体１０に設置され、多用途拡充ベースがＵＳＢコネクタ２０を利用してコンピュータ装置（例えばタブレットＰＣ、デスクトップ型コンピュータ、或いはノートブック型コンピュータ）と接続可能とされ、並びにＵＳＢコネクタ２０により多用途拡充ベースが必要とする電源が提供される。
【００１３】
前述の複数の接続端子３０１、３０２、３０３は、本実施例では、ＰＳ／２端子、ＬＰＴ端子、ＵＳＢコネクタとされ、それらはいずれもベース本体１０に設置されて周辺装置例えばマウス、キーボード、プリンタ等との接続に供され、多用途拡充ベースはこれらＵＳＢコネクタ２０を介してコンピュータ装置に接続可能である。
【００１４】
前述の大容量保存装置インタフェース４０はベース本体１０に設置され、大容量保存装置５０に接続可能で、図３、４に示されるように、大容量保存装置インタフェース４０が大容量保存装置５０（例えばノートブック型コンピュータ専用のＣＤドライブ或いはノートブック型コンピュータ専用の２．５インチディスクドライブ）に接続される時、ベース本体１０は折り曲げられてＬ型とされて該大容量保存装置５０と結合され一体とされ、且つ大容量保存装置５０は大容量保存装置インタフェース４０を利用してベース本体１０と接続され、並びにＵＳＢコネクタ２０を通してノートブック型コンピュータ６０或いはデスクトップ型コンピュータ７０に接続可能で、本発明の多用途拡充ベースと大容量保存装置５０の結合により、外接式大容量保存装置５０をコンピュータ装置の使用に供することができる。
【００１５】
本実施例中、前述の大容量保存装置インタフェース４０はノートブック型コンピュータのＩＤＥインタフェースとされ、大容量保存装置５０は薄型ＣＤドライブＯＤＤ或いは２．５インチディスクドライブ等とされ得て、拡充ベースと薄型ＣＤドライブ或いは２．５インチディスクドライブが結合される。本実施例では、ベース本体１０は左半部１２と右半部１３を具え、左半部１２と右半部１３は枢軸１１で接続されているため、ベース本体がＬ型に折り曲げ可能とされ、折り曲げ後のＬ型内側に大容量保存装置インタフェース４０と大容量保存装置５０が設置され、これによりノートブック型コンピュータが使用しない薄型ＣＤドライブ或いは２．５インチディスクドライブの機能を利用できる。
【００１６】
また、本発明の多用途拡充ベースは一般の拡充ベースとなし得る。図５には周辺装置とコンピュータ装置の接続が示され、マウス、キーボード或いはプリンタが複数の接続端子３０１、３０２、３０３でコンピュータ装置と接続され、データ交換を行える。
【００１７】
以上の実施例は説明のために提示されたものであり、本発明の実施範囲を限定するものではなく、以上の説明及び図面の記載に基づきなしうる細部の修飾或いは改変は、いずれも本発明の請求範囲に属するものとする。
【図面の簡単な説明】
【００１８】
【図１】周知のノートブック型コンピュータの拡充ベースとノートブック型コンピュータの接続表示図である。
【図２】本発明の実施例の多用途拡充ベースの構造図である。
【図３】本発明の実施例の大容量保存装置とコンピュータ装置の接続表示図である。
【図４】本発明の実施例の大容量保存装置とコンピュータ装置の接続表示図である。
【図５】本発明の実施例の周辺装置とコンピュータ装置の接続表示図である。
【符号の説明】
【００１９】
１  拡充ベース
２  ノートブック型コンピュータ
３  接続インタフェース
１０  ベース本体
２０、３０３  ＵＳＢコネクタ
４０  大容量保存装置インタフェース
６０  ノートブック型コンピュータ
７０  デスクトップ型コンピュータ
１１  枢軸
１２  左半部
１３  右半部
５０  大容量保存装置
３０１、３０２、３０３  接続端子
【図１】
2006114000.tif 000003
【図２】
2006114000.tif 000004
【図３】
2006114000.tif 000005
【図４】
2006114000.tif 000006
【図５】
2006114000.tif 000007